(57)【要約】      （修正有）【課題】霊長類動物に過分なストレスをかけることなく、スムーズに霊長類動物に対して施術をすることができるヘッドギアを提供する。【解決手段】霊長類動物の頭部を覆うヘッドギア１であって、前記霊長類動物の頭部が貫通可能な開口と、霊長類動物の頭部が貫通可能な前記開口の開口面積を調節可能なスライド部材４と、を備える、セーフティヘッドギアである。【選択図】図１
2020184888.tif 000002
【特許請求の範囲】
【請求項１】
霊長類動物の頭部を覆うヘッドギアであって
前記霊長類動物の頭部が貫通可能な開口と、
霊長類動物の頭部が貫通可能な前記開口の開口面積を調節可能なスライド部材と、
を備える、前記ヘッドギア。
【請求項２】
挿入された前記霊長類動物の口部に対応する位置のスリットと、
前記スリットに差し込み可能で、前記スリットに差し込まれたときにその一部が前記霊長類動物の口内に挿入される差込板と
をさらに備える、請求項１に記載のヘッドギア。
【請求項３】
前記差込板に、前記霊長類動物の口部に挿入される経口チューブの案内通路が設けられている、請求項２に記載のヘッドギア。
【請求項４】
前記霊長類動物が呼吸をするための呼吸孔が設けられている、請求項１〜３のいずれかに記載のヘッドギア。
【請求項５】
前記スライド部材が、前記ヘッドギアに設けられた２つの合わせ部に回転自在に取り付けられ、前記スライド部材が前記合わせ部を中心に回転することにより前記開口の開口面積を調節する、請求項１〜４のいずれかに記載のヘッドギア。
【請求項６】
前記霊長類動物が、マーモセットである、請求項１〜５のいずれかに記載のヘッドギア。
【発明の詳細な説明】
【技術分野】
【０００１】
本発明は、医療研究及び各種実験などに用いられるマーモセットなどの霊長類動物に使用する霊長類動物用セーフティヘッドギアに関する。
【背景技術】
【０００２】
霊長類動物として、マーモセット、カニクイザル、ニホンザル、タマリン、及びチンパンジーなど多くの種が存在する。これらの霊長類動物、なかでもマーモセットは人間に近く、脳・神経系・循環器系・消化器系・内分泌系・免疫系・行動学等ではヒトとの類似点を多く有している。この類似点のために、動物実験に広く用いられている。
【０００３】
マーモセットは、ラットと同じ程度の大きさ（体重２００〜４００ｇ）である。マーモセットは、ハンドリングが容易で、飼育スペースも少なくてすむ。また、マーモセットは、人獣共通のウイルス性感染症の報告例もなく、赤痢菌や結核菌の感受性も低いといわれている。
さらに、マーモセットは生後１２か月齢前後で性成熟に達し、１産に２〜４匹の仔を（個体によっては年２回）出産する。マーモセットの寿命は、１５〜１６年といわれる。マーモセットは、性格的にはやや神経質な面を持ち合わせているので、その飼育や取扱いには十分な配慮が必要とされている。
【０００４】
このようなマーモセットに施術を行う場合、一人の施術者がマーモセットの両手両足、尾、及び頭部を押さえ付けた状態で、他の施術者が注射や採血を行っていた。この方法では、マーモセットが暴れて施術者が噛み付かれたりしないよう、強い力でマーモセットを抑え付けなければならず、人手が掛かっていた。加えて、マーモセットにも大きなストレスがかかっていた。
【０００５】
このような状況を解消するため、マーモセットの拘束装置が開発された（特許文献１）。この装置は、両端が開口した胴部包囲用筒状部と、その開口した一端の外側に配置した頭部載置台と、同他端の外側に配置した腰部固定台とを備え、この腰部固定台に拘束バンドが設けられている。
【０００６】
かかる装置を使用すれば、マーモセットは胴体部が固定される。したがって、施術者は片手でマーモセットの腕を押さえ、他の手で注射針を挿入することができる。
【先行技術文献】
【特許文献】
【０００７】
【特許文献１】特開２００１−７８６０８
【発明の概要】
【発明が解決しようとする課題】
【０００８】
しかしながら、特許文献１に記載の装置を使用した場合においても、マーモセットの頭部はむき出しとなっていた。したがって、施術者が腕を噛まれる危険性があるため、施術者とは別に保定者がマーモセットの頭部を抑えなければならなかった。すなわち、マーモセットに施術をするために、依然として２人以上の人員が必要であった。また、強い力で押さえつけることで、マーモセットに多大なストレスがかかることも懸念された。
【課題を解決するための手段】
【０００９】
本発明者らは、霊長類動物、特にマーモセットに対する施術をスムーズに行い、施術者が噛み付かれるリスクを低減し、そしてマーモセットにも過大なストレスを与えない方法を検討した。そして、本発明のヘッドギアを用いることにより、マーモセットに対する施術をスムーズに行うことができることを確認し、本発明を完成するに至った。
本発明は、具体的には以下の通りである。
＜１＞霊長類動物の頭部を覆うヘッドギアであって、前記霊長類動物の頭部が貫通可能な開口と、霊長類動物の頭部が貫通可能な前記開口の開口面積を調節可能なスライド部材と、を備える、前記ヘッドギア。
＜２＞挿入された前記霊長類動物の口部に対応する位置のスリットと、前記スリットに差し込み可能で、前記スリットに差し込まれたときにその一部が前記霊長類動物の口内に挿入される差込板とをさらに備える、＜１＞に記載のヘッドギア。
＜３＞前記差込板に、前記霊長類動物の口部に挿入される経口チューブの案内通路が設けられている、＜２＞に記載のヘッドギア。
＜４＞前記霊長類動物が呼吸をするための呼吸孔が設けられている、＜１＞〜＜３＞のいずれかに記載のヘッドギア。
＜５＞前記スライド部材が、前記ヘッドギアに設けられた２つの合わせ部に回転自在に取り付けられ、前記スライド部材が前記合わせ部を中心に回転することにより前記開口の開口面積を調節する、＜１＞〜＜４＞のいずれかに記載のヘッドギア。
＜６＞前記霊長類動物が、マーモセットである、＜１＞〜＜５＞のいずれかに記載のヘッドギア。
【発明の効果】
【００１０】
本発明のヘッドギアを用いることで、霊長類動物に過分なストレスをかけることなく、スムーズに霊長類動物に対して施術をすることができる。すなわち、霊長類動物に対して施術を行う際の人員及び時間削減が可能となる。また、施術者が霊長類動物に噛み付かれるリスクを低減することもできる。また、霊長類動物に対して過大なストレスを与えることを防止することもできる。加えて、霊長類動物が何かを掴んだ場合にも、掴んだ物を口に運ぶことができず、霊長類動物の歯の脱臼又は誤食のリスクを減少させることもできる。
【図面の簡単な説明】
【００１１】
【図１】本発明のヘッドギアの一態様の斜視図である。
【図２】本発明のヘッドギアの一態様の平面図である。
【図３】本発明のヘッドギアの一態様の正面図である。
【図４】本発明のヘッドギアの一態様の右側面図である。
【図５】本発明のヘッドギアの一態様の底面図である。
【図６】本発明のヘッドギアの一態様の背面図である。
【図７】本発明のヘッドギアを説明する際に用いる方向に関する用語を示す図である。
【図８】本発明のヘッドギアの一態様の前部部品の正面図である。
【図９】本発明のヘッドギアの一態様の前部部品の背面図である。
【図１０】本発明のヘッドギアの一態様の前部部品の右側面図である。
【図１１】本発明のヘッドギアの一態様の前部部品の底面図である。
【図１２】本発明のヘッドギアの一態様の後部部品の正面図である。
【図１３】本発明のヘッドギアの一態様の後部部品の右側面図である。
【図１４】本発明のヘッドギアの一態様のスライド部材の斜視図である。
【図１５】本発明のヘッドギアの一態様のスライド部材の平面図である。
【図１６】本発明のヘッドギアの一態様のスライド部材の正面図である。
【図１７】本発明のヘッドギアの一態様のスライド部材の右側面図である。
【図１８】本発明のヘッドギアの一態様におけるスライド部材の動きを示す図である。
【図１９】本発明のヘッドギアの一態様の差込板の斜視図である。
【図２０】本発明のヘッドギアの一態様の差込板の正面図である。
【図２１】本発明のヘッドギアの一態様の差込板の右側面図である。
【図２２】本発明のヘッドギアの一態様の差込板の底面図である。
【図２３】本発明のヘッドギアの一態様における各部品の組み立て方法を示す図である。
【００１２】
以下、本発明のヘッドギアについて図面を用いて説明するが、当該図面及び説明は好ましい態様を例示するものであって、本発明の技術的思想の範囲を限定するものではない。
なお、本発明のヘッドギア及びこれらを構成する各部材を説明する際に、ヘッドギアが組み合わされた状態において、霊長類動物の頭部が存在する側を「内部」と表現し、霊長類動物の頭部が存在する側の各部材の表面を「内部表面」と表現することがある。また、ヘッドギアが組み合わされた状態において、霊長類動物の頭部が存在しない側を「外部」と表現し、霊長類動物の頭部が存在しない側の各部材の表面を「外部表面」と表現することがある。
同様に、ヘッドギアが組み合わされた状態において、霊長類動物の頭部が存在する方向を「上方」、「上側」、又は「上方向」と表現することがある。また、ヘッドギアが組み合わされた状態において、「上方向」とは逆の方向、すなわち霊長類動物の胴体が存在する方向を「下方」、「下側」、又は「下方向」と表現することがある。
同様に、ヘッドギアが組み合わされた状態において、霊長類動物の口、目等が存在する方向を「前」、「前側」、又は「前方向」と表現することがある。また、ヘッドギアが組み合わされた状態において、「前方向」とは逆の方向、すなわち、霊長類動物の後頭部が存在する方向を「後」、「後側」、又は「後方向」と表現することがある。
図７に、本発明のヘッドギアを説明する際に用いる、方向に関する用語を示す。
【００１３】
図１〜６は、本発明のヘッドギアの一態様を示す図である。図１〜６は、マーモセット用のヘッドギア１を示している。図１〜６において、ヘッドギア１は、前部部品２、後部部品３、及びスライド部材４から成る。ヘッドギア１の下方には、霊長類動物の頭部が挿入される開口６が形成されている。ヘッドギア１の付属品として、差込板５を付属させることができる。
【００１４】
図１〜６において、差込板５は、前部部品２のスリット２２（図８等参照）に差し込まれている。差込板５は、施術者側（前方向）に移動させることで、スリット２２から取り外すことができる。差込板５及びスリット２２を備えることにより、霊長類動物が自分自身（特に、口内及び唇など）及び周囲に存在する物体（保定器等）を噛み、霊長類動物が傷つくことを防止することができる。
差込板５は、経口チューブを通すための案内通路５１を備えることができる（図１９等参照）。差込板５が経口チューブを通すための案内通路５１を備えることにより、霊長類動物に対する経口投与用チューブ挿入操作を円滑に行うことができる。
ヘッドギア１は、霊長類動物が呼吸をするための呼吸孔を備えることができる。呼吸孔を備えることにより、霊長類動物がスムーズに呼吸ができるようになる。加えて、霊長類動物の呼吸により、ヘッドギア１の内部が曇ることを防止することができる。
前記スライド部材は、前記ヘッドギアに設けられた２つの合わせ部に回転自在に取り付けられることができ、前記スライド部材が前記合わせ部を中心に回転することにより前記開口の開口面積を調節することできる。このような構成を採用することにより、開口の開口面積をスムーズに調節することができる。
【００１５】
ヘッドギア１では、半球状の前部部品２と半球状の後部部品３とが霊長類動物の頭部を覆うように設計されている。本明細書において、「頭部」とは、首より上方の部分を意味し、顔、後頭部、及び口等を包含する。本明細書において、「霊長類動物の頭部を覆う」とは、霊長類動物の口と、霊長類動物の頭部の少なくとも一部とを覆うことを意味する。すなわち、本発明の効果が得られる限りにおいて、ヘッドギア１の頭頂部に大きく孔が空いているような態様であっても、「霊長類動物の頭部を覆う」に該当する。なお、「覆う」とは、頭部表面とヘッドギアの内側表面とに一定の距離が存在する場合及び存在しない場合の両方、すなわち、頭部表面とヘッドギアの内側表面とが直接接触する場合及び直接接触しない場合の両方を意味するが、霊長類動物のストレスを考慮して、直接接触しないことが好ましい。
本発明のヘッドギア１は、霊長類動物の口を含む、霊長類動物の頭部の表面積の３０％以上、４０％以上、５０％以上、６０％以上、７０％以上、８０％以上、９０％以上、又は９５％以上を覆うことができる。
本発明のヘッドギア１では、覆っている霊長類動物の頭部の表面積の３０％以上、４０％以上、５０％以上、６０％以上、７０％以上、８０％以上、９０％以上、又は９５％以上が、ヘッドギアの内側表面に直接接触しないことができる。
本発明のヘッドギア１は、好ましくは、口部から霊長類動物の後頭部に至るまでを覆うものであり、さらに好ましくは、図１に示すように、霊長類動物の頭部全体を収納するものである。なお、本明細書において「頭頂部」とは、頭部の頂端のことであり、霊長類動物を直立させた場合に、最も体高が高くなる部分を意味する。
ヘッドギア１の形状は、霊長類動物の頭部を覆うことができる形状であれば特に限定されず、任意の形状を使用することができるが、図１に示すように、略球形であることが好ましい。本明細書において「略球形」とは、横方向及び高さ方向により形成される平面に平行方向にヘッドギア１を切断したときにおける最も長い直径Ｘ（図３参照）、奥行方向及び高さ方向により形成される平面に平行方向にヘッドギア１を切断したときにおける最も長い直径Ｙ（図２参照）、及び高さ方向及び奥行方向により形成される平面に平行方向にヘッドギア１を切断したときにおける最も長い直径Ｚ（図４参照）のうち、最も短い直径が、最も長い直径の例えば５０％〜１００％、好ましくは６０％〜１００％、より好ましくは７０％〜１００％、さらに好ましくは８０％〜１００％、最も好ましくは９０％〜１００％の長さであることを意味する。
【００１６】
前部部品２と後部部品３とは、霊長類動物の頭部が貫通可能な開口６を形成するように設計されている。開口６の孔径及び形状は、霊長類動物の頭部がヘッドギア１に収納されるために貫通可能であればよく、霊長類動物の種類又は用途に応じて当業者であれば適宜調節することができる。開口６の形状は、略長方形又は略楕円形であることが好ましい。開口６は、ヘッドギア１の下側に設けられることが好ましい。
霊長類動物がマーモセットである場合、開口６の形状が、略長方形又は略楕円形であり、そして開口６の孔径が、長手方向の長さが４ｃｍ〜６ｃｍ、短手方向の長さが２ｃｍ〜４ｃｍであることが好ましい。長手方向の長さ及び短手方向の長さは、スライド部材４が開口６の開口面積を制限していない状態の長さを意味する。スライド部材４が、開口６の長手方向の長さを調節することにより開口６の開口面積を調節することが好ましい。
【００１７】
図１〜６は、前部部品２と後部部品３、すなわち２つの部材を組み合わせて霊長類動物の頭部を覆う構成を示している。しかしながら、１つの部材、例えばお椀型や金魚鉢型のものを用いて霊長類動物の頭部を覆う構成とすることもできる。しかしながら、この場合は金型等による成型操作が困難であることから、前部部品２と後部部品３を組み合わせる構成とすることが好ましい。
【００１８】
前部部品２、後部部品３、スライド部材４、及び差込板５の材質は、本発明の効果が得られる限りにおいて特に限定されないが、霊長類動物の視界を遮り過度なストレスを与えないために、及び、施術者がヘッドギア１内部の霊長類動物の様子を確認できるように、プラスチック樹脂などの透明の材質を使用することが好ましい。
【００１９】
本発明において霊長類動物とは、以下に限定されるものではないが、イタチキツネザル、ブラウンキツネザル、ワオキツネザル、アイアイ、リスザル、クモザル、マーモセット、カニクイザル、ニホンザル、タマリン、及びチンパンジーなどを例示することができる。霊長類としては、マーモセットを用いることが好ましく、マーモセットとしては、ピグミーマーモセット及びコモンマーモセット等が挙げられる。本明細書において、「霊長類動物」には、ヒトは含まれない。
【００２０】
図８〜１１は、本発明のヘッドギアの一態様の前部部品２を示す図である。前部部品２は、呼吸孔２１を備えることが好ましい。呼吸孔２１は、頭部を覆われた霊長類動物が呼吸を行うための孔である。呼吸孔の形状、大きさ、及び個数は霊長類動物が呼吸をすることができれば特に限定されない。
また、前部部品２は呼吸孔に限らず、霊長類動物に点眼薬を投与するための点眼孔、及び／又は毛髪をサンプリングするための孔を備えることもできる。
【００２１】
前部部品２は、差込板５を挿入するためのスリット２２を備えることができる。スリット２２は、霊長類動物の口部に対向する位置に設けられる。スリット２２の形状は差込板５を容易に挿入することができればよく、特に限定されない。スリット２２は、後述する差込板５のストッパ部５５と篏合して、霊長類動物が暴れた場合でも容易に抜けないように設計することが好ましい。
【００２２】
前部部品２は、前部部品２と後部部品３との位置合わせのための嵌合部Ａ２３を備えることができる。嵌合部Ａ２３と後部部品３が備える嵌合部Ｂ３３（図１２等参照）とを嵌合させることにより、前部部品２と後部部品３との位置合わせを容易にすることができる。前部部品２と後部部品３との位置合わせを容易にすることができれば、嵌合部Ａ２３及び嵌合部Ｂ３３の形状は特に制限されることはなく、凹凸等の任意の形状を採用することができる。嵌合部Ａ２３の例としては、後側に向かって突出する凸部であり、嵌合部Ｂ３３の例としては、前記凸部を収容するために、後側に向かって陥没する、前記凸部と同一形状の凹部が挙げられる。ヘッドギア１は、嵌合部を複数、例えば３つ備えることが好ましい。すなわち、前部部品２及び後部部品３の各々が、嵌合部Ａ２３及び嵌合部Ｂ３３を複数、例えば３つずつ備えることが好ましい。
【００２３】
前部部品２は、前部部品２と後部部品３とを組み合わせるための合わせ部Ａ２４を備えることができる。合わせ部Ａ２４と後部部品３が備える合わせ部Ｂ３４（図１２等参照）とを面合わせすることにより、前部部品２と後部部品３とを容易に組み合わせることができる。前部部品２と後部部品３とを組み合わせることを容易にすることができれば、合わせ部Ａ２４及び合わせ部Ｂ３４の形状は特に制限されることはなく、任意の形状を採用することができる。合わせ部Ａ２４及び合わせ部Ｂ３４の例としては、横方向及び上方向に向かって突出する、ヘッドギア１の左右に設けられた２つの凸部が挙げられる。この凸部は、奥行方向及び高さ方向が形成する平面と平行方向の断面が半円となる筒状体であることが好ましい。
【００２４】
図１２〜１３は、本発明のヘッドギア１の一態様の後部部品３を示す図である。後部部品３は、霊長類動物にヘッドギア１を装着させた後にスライド部材４が上方に戻ることを防止する戻り止めＢ３２を備えることが好ましい。戻り止めＢ３２は、スライド部材４が上方に戻ることを防止し、スライド部材４が開口６の開口面積を制限した状態を維持する。戻り止めＢ３２の形状及び大きさは、スライド部材４が上方に戻ることを防止することができれば特に限定されることはなく、ヘッドギア１の材質及び大きさに合わせて任意の形状（例えば、突起）及び大きさを採用することができる。戻り止めＢ３２の形状は、スライド部材の戻り止め効果の観点から、後方向に向かって突出した突起であることができ、下方に向かうにつれて突起が長くなる形状であることが好ましい。戻り止めＢ３２は、ヘッドギア１における最も後方の部分及び／又は開口６における最も後方の部分に位置することが好ましい。
また、呼吸孔を前部部品２ではなく、後部部品３に設けてもよく、前部部品２及び後部部品３の両方に設けてもよい。
【００２５】
後部部品３は、開口６の開口面積を広く保持するための滑り止め３１を備える。滑り止め３１は、スライド部材４が開口６の開口面積を広く保持しているときにスライド部材４と接触し、摩擦によりスライド部材４が下方に移動して開口６の開口面積を狭くすることを防止することができる。滑り止め３１の形状は、スライド部材４が下方に移動して開口６の開口面積を狭くすることを防止することができれば特に限定されないが、例えば、後部部品３から上方へ突出した突起であることができる。滑り止め３１の大きさ、設置する位置及び個数に関しても、スライド部材４が下方に移動して開口６の開口面積を狭くすることを防止することができれば特に限定されない。
【００２６】
図１４〜１８は、本発明のヘッドギア１の一態様のスライド部材４を示す図である。本発明のヘッドギア１は、霊長類動物の頭部が貫通可能な開口の開口面積を調節可能なスライド部材４を備える。スライド部材４は、開口６の開口面積を調節するための部材である。スライド部材４が開口６の開口面積を調節する様式は、本発明の効果が得られる限りにおいて特に制限されることはないが、ヘッドギア１が略球状である場合、ヘッドギア１における奥行方向の中心部分を円心として、回転運動を行うことにより開口面積を調節できることが好ましい。このように構成するために、合わせ部Ａ２４及び合わせ部Ｂ３４を収容して且つスライド部材が回転自在となることを可能とするための合わせ部収容部４３及び合わせ部用孔４４を、スライド部材４が備えることが好ましい。
【００２７】
スライド部材４の形状、大きさ、及び個数は、開口の開口面積を調節可能であれば特に限定されない。例えば、スライド部材４を２つ設けて、図１８に示すように一方からではなく、両側から開口６の開口面積を増減させるように設計することもできる。スライド部材４をスライドさせる方向に関しては、スライド部材４の形状、大きさ、及び個数等に応じて、当業者であれば適した方向にスライドするようにスライド部材４を設けることができる。
【００２８】
スライド部材４は、施術者がスライド部材４を把持するためのツマミ部４１を備えることができる。スライド部材４を用いて開口６の開口面積を調節することにより、霊長類動物が暴れた場合でも頭部を抜けにくくすることができる。施術者がスライド部材４を把持することができれば、ツマミ部４１の形状は特に制限されることはなく、任意の形状を採用することができる。ツマミ部４１の形状の例としては、スライド部材４から後方向に延伸した部分であることができる。ツマミ部４１は、施術者がスライド部材４を把持しやすいように、高さ方向における厚さが５ｍｍ以下であることが好ましい。ツマミ部４１を施術者が把持して上方に強く引き上げることにより、開口６の開口面積を大きくすることができ、霊長類動物の頭部をヘッドギア１から容易に外すことができる。
【００２９】
図１８にスライド部材４の調節方法が図示されている。頭部を挿入するために開口６の開口面積を大きくする場合は、スライド部材４を上方に移動させる。頭部を挿入した後、ヘッドギア１が頭部から外れないように開口６の開口面積を小さくする場合は、スライド部材４を下方に移動させる。
【００３０】
スライド部材４は、霊長類動物にヘッドギア１を装着させた後にスライド部材４が上方に戻ることを防止する戻り止めＣ４２を備えることが好ましい。戻り止めＣ４２を備えることにより、開口６の開口面積が広くなることによるヘッドギア１の霊長類動物の頭部からの脱離を防止することができる。戻り止めＣ４２の形状、個数、及び大きさは、ヘッドギア１の霊長類動物の頭部からの脱離を防止することができれば特に制限されることはなく、前方向に突出する突起等の任意の形状を採用することができる。
【００３１】
図１９〜２２は、本発明のヘッドギア１の一態様の差込板５を示す図である。差込板５の形状は、スリット２２に挿入することができ、且つ前記スリット２２に差し込まれたときに差込板５の一部が霊長類動物の口内に挿入されればよく、特に限定されないが、前部部品２と後部部品３とが略球形である場合は、略扇形形状であることが好ましい。
差込板５は、口内保護板５７を備える。口内保護板５７を霊長類動物の上歯及び下歯の間に存在させることにより、興奮した霊長類動物が自らの舌や唇をかむことを防止することができる。
【００３２】
差込板５は、経口投与用チューブを通すための案内通路５１を備えることが好ましい。案内通路５１は、差込板５の奥行方向における一方の端部から他方の端部まで貫通している。案内通路の孔径は、当業者であれば用途に合わせて適宜調節することができる。経口投与用チューブを通すための案内通路５１の霊長類動物の内部側の端部は、霊長類動物の口内に挿入される。案内通路５１の形状は、経口投与用チューブを挿通することができれば特に限定されることはないが、上方向及び横方向が形成する平面と平行方向に差込板５を切断した場合の断面が略円形または略楕円形となることが好ましい。案内通路５１には、カテーテル又は内視鏡等も挿通させることができる。
【００３３】
差込板５は、経口投与用チューブを通し易くするためのガイド部５２を備えることが好ましい。ガイド部５２は、例えば、差込板５を挿入する方向とは逆方向（外部方向）に部分的に突出させた、突出部であることが好ましい。ガイド部５２は、経口投与用チューブをガイドするためのくぼみ５３を備えることが好ましい。また、差込板５の一部に、好ましくはガイド部５２（突出部）に、施術者が差込板５を把持するための把持部５４を設けることが好ましい。把持部５４は、ガイド部５２の最も前方向の部分から下方向に突出させた部分であることができる。
【００３４】
スリット２２に挿入された後に霊長類動物が激しく動いた場合にも差込板５が外れないように、差込板５はストッパ部５５及び／又はへり５６を有することが好ましい。ストッパ部５５の形状、大きさ、及び個数は、差込板５が外れないようにできれば特に限定されることはなく、凸部、凹部等の任意の形状を用いることができる。へり５６は、スリット２２へ差し込む方向とは逆方向（前方向）の差込板の周縁部に配置される突起であることができる。
【００３５】
図２３に、前部部品２、後部部品３、スライド部材４、及び差込板５の組み立て方の一例を示す。
１．まず、前部部品２の３つの嵌合部Ａ２３と後部部品３の３つの嵌合部Ｂ３３、そして前部部品２の２つの合わせ部Ａ２４と後部部品３の２つの合わせ部Ｂ３４とを合わせる。
２．次に、スライド部材４の合わせ部用孔４４中に前部部品２の合わせ部Ａ２４と後部部品３の合わせ部Ｂ３４とを収容する。
３．霊長類動物の頭部を収容した後、差込板５をスリット２２に差し込む。
図示している組み立て方法は単なる一例であり、本発明のヘッドギアが図示している組み立て方法を使用するものに限定されるわけではない。
【００３６】
本発明のヘッドギア１の寸法は、マーモセット用セーフティヘッドギアである場合、高さ方向、奥行き方向、及び横方向のそれぞれにおいて、４〜１０ｃｍが好ましく、５〜８ｃｍがさらに好ましい。
【００３７】
（施術）
本明細書において、「施術」とは、霊長類動物に対して、施術者が治療、投薬、サンプリング、触診、及び観察等の特定の操作を行うことを意味する。施術は、具体的には、点眼薬の投与、注射、及び経口投与用チューブの挿入等である。
【００３８】
（操作方法）
本発明のヘッドギアは、以下の手順で使用することができる。なお、以下の手順では、経口投与用チューブの挿入を例として説明しているが、本発明は、経口投与用チューブの挿入のために使用されるものに限定されない。
（１）開口６から霊長類動物の頭部を収納する。
（２）スライド部材４を下方に移動させる。この操作により、開口６の開口面積を減少させ、霊長類動物が暴れた場合においてもヘッドギア１が外れにくくする。この操作により、霊長類動物に噛まれる危険性がなくなり、血液採取又は注射等も容易にできるようになる。
（３）差込板５をスリット２２に挿入し、案内通路５１の内側端部を霊長類動物の口内に挿入する。この操作により、頭部が固定される。
（４）経口投与用チューブの案内通路５１に経口投与用チューブを挿入し、霊長類動物の口内まで（必要であれば胃などさらに奥まで）到達させる。
（５）経口投与用チューブを通して薬剤を霊長類動物に投与する。
（６）経口投与用チューブを霊長類動物の口部及び案内通路５１から引き抜く
（７）差込板５をスリット２２から引き抜く。
（８）スライド部材４を上方に移動させる。この操作により、開口６の開口面積を拡大させ、霊長類動物の頭部を通しやすくする
（９）霊長類動物の頭部を開口６から抜き、霊長類動物を開放する。
【００３９】
上記手順（３）より前に、特許文献１のような器具を用いて霊長類動物を保定する操作を行うこともできる。
【符号の説明】
【００４０】
１  ヘッドギア
２  前部部品
３  後部部品
４  スライド部材
５  差込板
６  開口
２１  呼吸用通気孔
２２  スリット
２３  嵌合部Ａ
２４  合わせ部Ａ
３１  滑り止め
３２  戻り止めＢ
３３  嵌合部Ｂ
３４  合わせ部Ｂ
４１  ツマミ部
４２  戻り止めＣ
４３  合わせ部収容部
４４  合わせ部用孔
５１  案内通路
５２  ガイド部
５３  くぼみ
５４  把持部
５５  ストッパ部
５６  へり
５７  口内保護板
６１  前部部品由来開口
６２  後部部品由来開口
【図１】
2020184888.tif 000003
【図２】
2020184888.tif 000004
【図３】
2020184888.tif 000005
【図４】
2020184888.tif 000006
【図５】
2020184888.tif 000007
【図６】
2020184888.tif 000008
【図７】
2020184888.tif 000009
【図８】
2020184888.tif 000010
【図９】
2020184888.tif 000011
【図１０】
2020184888.tif 000012
【図１１】
2020184888.tif 000013
【図１２】
2020184888.tif 000014
【図１３】
2020184888.tif 000015
【図１４】
2020184888.tif 000016
【図１５】
2020184888.tif 000017
【図１６】
2020184888.tif 000018
【図１７】
2020184888.tif 000019
【図１８】
2020184888.tif 000020
【図１９】
2020184888.tif 000021
【図２０】
2020184888.tif 000022
【図２１】
2020184888.tif 000023
【図２２】
2020184888.tif 000024
【図２３】
2020184888.tif 000025
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
霊長類動物の頭部を覆うヘッドギアであって
前記霊長類動物の頭部が貫通可能な開口と、
霊長類動物の頭部が貫通可能な前記開口の開口面積を調節可能なスライド部材と、
挿入された前記霊長類動物の口部に対応する位置のスリットと、
前記スリットに差し込み可能で、前記スリットに差し込まれたときにその一部が前記霊長類動物の口内に挿入される差込板と
を備え、
前記差込板は、前方向に移動させることで、前記スリットから取り外すものである、前記ヘッドギア。
【請求項２】
前記差込板に、前記霊長類動物の口部に挿入される経口チューブの案内通路が設けられている、請求項１に記載のヘッドギア。
【請求項３】
前記霊長類動物が呼吸をするための呼吸孔が設けられている、請求項１又は２に記載のヘッドギア。
【請求項４】
前記スライド部材が、前記ヘッドギアに設けられた２つの合わせ部に回転自在に取り付けられ、前記スライド部材が前記合わせ部を中心に回転することにより前記開口の開口面積を調節する、請求項１〜３のいずれかに記載のヘッドギア。
【請求項５】
前記霊長類動物が、マーモセットである、請求項１〜４のいずれかに記載のヘッドギア。